(57)【要約】      （修正有）【課題】同じ記録媒体に設けた無線タグと情報コードとの読取結果を利用して当該記録媒体が付された物品の真贋判定を行うことで真贋判定精度を高め得る構成を提供する。【解決手段】真贋判定システム１において、商品Ｇに付されたラベル２には、タグ情報が記録される無線タグ３とタグ情報に一致する非公開情報が記録される情報コード４とが設けられている。そして、携帯端末１０の制御部による真贋判定処理では、同じラベルに付された無線タグから無線タグ処理部にて読み取った読取結果と情報コードから情報コード読取部にて読み取った読取結果とに基づいて、当該ラベルが付された商品Ｇが正規品か否かについて判定される。【選択図】図１
2020035324.tif 000002
【特許請求の範囲】
【請求項１】
物品に付された記録媒体に記録される情報を読み取ることで当該物品の真贋判定を行う真贋判定装置を備える真贋判定システムであって、
前記記録媒体には、第１の情報が記録される無線タグと前記第１の情報に関連付けられる第２の情報が記録される情報コードとが設けられ、
前記真贋判定装置は、
前記無線タグに記録される情報を無線通信にて読み取る無線タグ処理部と、
前記情報コードに記録される情報を光学的に読み取る情報コード読取部と、
同じ前記記録媒体に付された前記無線タグから前記無線タグ処理部にて読み取った読取結果と前記情報コードから前記情報コード読取部にて読み取った読取結果とに基づいて、当該記録媒体が付された前記物品が正規品か否かについて判定する判定部と、
を備えることを特徴とする真贋判定システム。
【請求項２】
前記情報コードは、公開可能な公開情報が記録される公開領域と、前記第２の情報が所定の復号鍵にて復号可能に暗号化されて記録される非公開領域とを備える一部非公開コードとして生成され、
前記真贋判定装置は、前記所定の復号鍵が予め記憶される記憶部を備えることを特徴とする請求項１に記載の真贋判定システム。
【請求項３】
前記記録媒体は、前記物品に貼り付けられるようにシート状に形成され、
前記無線タグは、前記記録媒体が前記物品から剥がされることで前記第１の情報が読み取れなくなる開封検知機能を有するように形成されることを特徴とする請求項１又は２に記載の真贋判定システム。
【請求項４】
前記情報コードには、同じ前記記録媒体に付された前記無線タグに記録される前記第１の情報と同じ情報が前記第２の情報として記録され、
前記判定部は、同じ前記記録媒体に付された前記無線タグから前記無線タグ処理部にて読み取った読取結果と前記情報コードから前記情報コード読取部にて読み取った読取結果とが一致する場合に、当該記録媒体が付された前記物品が正規品であると判定することを特徴とする請求項１〜３のいずれか一項に記載の真贋判定システム。
【請求項５】
物品に付された記録媒体に記録される情報を読み取ることで当該物品の真贋判定を行う真贋判定装置であって、
前記記録媒体には、第１の情報が記録される無線タグと前記第１の情報に関連付けられる第２の情報が記録される情報コードとが設けられ、
前記無線タグに記録される情報を無線通信にて読み取る無線タグ処理部と、
前記情報コードに記録される情報を光学的に読み取る情報コード読取部と、
同じ前記記録媒体に付された前記無線タグから前記無線タグ処理部にて読み取った読取結果と前記情報コードから前記情報コード読取部にて読み取った読取結果とに基づいて、当該記録媒体が付された前記物品が正規品か否かについて判定する判定部と、
を備えることを特徴とする真贋判定装置。
【請求項６】
前記情報コードは、公開可能な公開情報が記録される公開領域と、前記第２の情報が所定の復号鍵にて復号可能に暗号化されて記録される非公開領域とを備える一部非公開コードとして生成され、
前記所定の復号鍵が予め記憶される記憶部を備えることを特徴とする請求項５に記載の真贋判定装置。
【請求項７】
前記情報コードには、同じ前記記録媒体に付された前記無線タグに記録される前記第１の情報と同じ情報が前記第２の情報として記録され、
前記判定部は、同じ前記記録媒体に付された前記無線タグから前記無線タグ処理部にて読み取った読取結果と前記情報コードから前記情報コード読取部にて読み取った読取結果とが一致する場合に、当該記録媒体が付された前記物品が正規品であると判定することを特徴とする請求項５又は６に記載の真贋判定装置。
【発明の詳細な説明】
【技術分野】
【０００１】
本発明は、真贋判定システム及び真贋判定装置に関するものである。
【背景技術】
【０００２】
従来、模造品対策として、例えば、商品に付した情報コードの読取結果を利用してその商品が正規品であるか否かについて判定する真贋判定が行われている。このような情報コードを利用した真贋判定に関する技術として、例えば、下記特許文献１に開示される真贋判定システムが知られている。この真贋判定システムでは、条件等色を用いてカラー印刷されるべき識別コードの撮像により取得されたマルチバンド画像のそれぞれから、条件等色の関係にある２色がそれぞれ印刷されるべき第１エリアの画素値と第２エリアの画素値とがバンドごとに特定される。そして、第１エリアの色の学習データと第１エリアのバンドごとの画素値とを用いて第１エリアの分光反射スペクトルが推定されるとともに、第２エリアの色の学習データと第２エリアのバンドごとの画素値とを用いて第２エリアの分光反射スペクトルが推定される。このように推定される第１エリアの分光反射スペクトルと第２エリアの分光反射スペクトルとを用いて、識別コードの真贋が判定される。このように条件等色を用いて真贋判定を行うことで、安価でありながら比較的堅牢なシステムの構築を図っている。
【０００３】
また、下記特許文献２に開示される偽造判定システムでは、個体識別情報読取装置を用いて錠剤に刻印等される情報コードから読み取った個体識別情報と薬剤識別サーバ装置に記憶される個体識別情報とが一致するか否かに基づいて、その錠剤が偽造品であるか否かを判定している。
【先行技術文献】
【特許文献】
【０００４】
【特許文献１】特開２０１２−１４１７２９号公報
【特許文献２】特開２００８−２７９０６０号公報
【発明の概要】
【発明が解決しようとする課題】
【０００５】
従来の情報コードを利用した真贋判定技術では、正規品に付す真贋判定用の情報コードの複製防止を図ることで真贋判定精度を高めている。しかしながら、真贋判定用の情報コードの分析等により、その情報コードの生成方法等が解析されてしまうと、不正に情報コードが複製（生成）されてしまう可能性がある。このような場合には、不正に複製された情報コードを模造品等に付すことで、その模造品が正規品と誤判定されてしまう可能性がある。
【０００６】
本発明は、上述した課題を解決するためになされたものであり、その目的とするところは、同じ記録媒体に設けた無線タグと情報コードとの読取結果を利用して当該記録媒体が付された物品の真贋判定を行うことで真贋判定精度を高め得る構成を提供することにある。
【課題を解決するための手段】
【０００７】
上記目的を達成するため、特許請求の範囲の請求項１に記載の発明は、
物品（Ｇ）に付された記録媒体（２）に記録される情報を読み取ることで当該物品の真贋判定を行う真贋判定装置（１０）を備える真贋判定システム（１）であって、
前記記録媒体には、第１の情報が記録される無線タグ（３）と前記第１の情報に関連付けられる第２の情報が記録される情報コード（４）とが設けられ、
前記真贋判定装置は、
前記無線タグに記録される情報を無線通信にて読み取る無線タグ処理部（３０）と、
前記情報コードに記録される情報を光学的に読み取る情報コード読取部（４０）と、
同じ前記記録媒体に付された前記無線タグから前記無線タグ処理部にて読み取った読取結果と前記情報コードから前記情報コード読取部にて読み取った読取結果とに基づいて、当該記録媒体が付された前記物品が正規品か否かについて判定する判定部（２１）と、
を備えることを特徴とする。
【０００８】
また、請求項５に記載の発明は、
物品（Ｇ）に付された記録媒体（２）に記録される情報を読み取ることで当該物品の真贋判定を行う真贋判定装置（１０）であって、
前記記録媒体には、第１の情報が記録される無線タグ（３）と前記第１の情報に関連付けられる第２の情報が記録される情報コード（４）とが設けられ、
前記無線タグに記録される情報を無線通信にて読み取る無線タグ処理部（３０）と、
前記情報コードに記録される情報を光学的に読み取る情報コード読取部（４０）と、
同じ前記記録媒体に付された前記無線タグから前記無線タグ処理部にて読み取った読取結果と前記情報コードから前記情報コード読取部にて読み取った読取結果とに基づいて、当該記録媒体が付された前記物品が正規品か否かについて判定する判定部（２１）と、
を備えることを特徴とする。
なお、上記各括弧内の符号は、後述する実施形態に記載の具体的手段との対応関係を示すものである。
【発明の効果】
【０００９】
請求項１の発明では、物品に付された記録媒体には、第１の情報が記録される無線タグと第１の情報に関連付けられる第２の情報が記録される情報コードとが設けられている。そして、真贋判定装置の判定部では、同じ記録媒体に付された無線タグから無線タグ処理部にて読み取った読取結果と情報コードから情報コード読取部にて読み取った読取結果とに基づいて、当該記録媒体が付された物品が正規品か否かについて判定される。
【００１０】
これにより、第２の情報が記録される情報コードを不正に複製して模造品に付したとしても、この第２の情報が関連付けられた第１の情報が記録される無線タグまでもがその模造品に付されない限り、当該模造品が正規品と判定されることもない。したがって、同じ記録媒体に設けた無線タグと情報コードとの読取結果を利用して当該記録媒体が付された物品の真贋判定を行うことで真贋判定精度を高めることができる。特に、真贋判定装置にて情報コードを読み取る際に同じ記録媒体に設けられる無線タグを読み取る真贋判定処理を行うことで、真贋判定のための操作を容易に行うことができる。
【００１１】
請求項２の発明では、情報コードは、公開可能な公開情報が記録される公開領域と、第２の情報が所定の復号鍵にて復号可能に暗号化されて記録される非公開領域とを備える一部非公開コードとして生成される。そして、真贋判定装置は、所定の復号鍵が予め記憶される記憶部を備えている。
【００１２】
これにより、所定の復号鍵を取得していない一般の読取装置では、記録媒体に設けられた情報コードから公開可能な公開情報が読み取られるので、その情報コードにさらに第２の情報が記録されていることが知得され難くなる。このため、第２の情報の秘匿性が向上するので、情報コードの偽造が困難になる結果、真贋判定精度をより一層高めることができる。
【００１３】
請求項３の発明では、記録媒体は、物品に貼り付けられるようにシート状に形成され、無線タグは、記録媒体が物品から剥がされることで第１の情報が読み取れなくなる開封検知機能を有するように形成される。
【００１４】
これにより、例えば、未開封状態のみ返品を受け付けるような商品に対して開封時に剥がれるような位置に記録媒体を貼り付けることで、開封後に不正に返品しようとしても第１の情報が読み取れなくなるので、真贋判定結果として不正な開封を検知することができる。
【００１５】
請求項４の発明では、情報コードには、同じ記録媒体に付された無線タグに記録される第１の情報と同じ情報が第２の情報として記録される。そして、判定部では、同じ記録媒体に付された無線タグから無線タグ処理部にて読み取った読取結果と情報コードから情報コード読取部にて読み取った読取結果とが一致する場合に、当該記録媒体が付された物品が正規品であると判定される。
【００１６】
これにより、真贋判定装置では、無線タグから読み取った情報と情報コードから読み取った情報とで真贋判定できるので、真贋判定用のデータベースや外部サーバへの問い合わせ等も不要となり、真贋判定装置単体で正確に真贋判定することができる。
【００１７】
請求項５の発明によれば、請求項１と同様の効果を奏する真贋判定装置を実現することができる。
請求項６の発明によれば、請求項２と同様の効果を奏する真贋判定装置を実現することができる。
請求項７の発明によれば、請求項４と同様の効果を奏する真贋判定装置を実現することができる。
【図面の簡単な説明】
【００１８】
【図１】第１実施形態に係る真贋判定システムを概略的に例示する概略図である。
【図２】図２（Ａ）は、図１の携帯端末の電気的構成を概略的に例示するブロック図であり、図２（Ｂ）は、図２（Ａ）の無線タグ処理部を概略的に例示するブロック図であり、図２（Ｃ）は、図２（Ａ）の情報コード読取部を概略的に例示するブロック図である。
【図３】商品が入った箱の開け口にラベルが付された状態を説明するための説明図である。
【図４】第１実施形態において制御部にて行われる真贋判定処理の流れを例示するフ
【発明を実施するための形態】
【００１９】
［第１実施形態］
以下、本発明の真贋判定装置及び真贋判定システムを具現化した第１実施形態について、図面を参照して説明する。
図１に示す真贋判定システム１は、無線タグ３及び情報コード４が設けられた記録媒体を付した物品に関して、無線タグ３及び情報コード４の読取結果を利用してその物品について真贋判定を行うためのシステムである。より具体的には、模造品対策が必要な高価な商品等の物品（以下、単に商品Ｇともいう）に対して上記記録媒体としてラベル２が貼り付けられており、真贋判定システム１は、真贋判定装置として機能する携帯端末１０にてラベル２の表裏に設けられる無線タグ３及び情報コード４を読み取る真贋判定処理を行うことで、商品Ｇについて真贋判定を行うシステムとして構成されている。
【００２０】
ラベル２は、裏面側に接着層が設けられようにシート状に形成されており、表面側に情報コード４が印刷され、裏面側に無線タグ３が配置されるように構成されている。このため、図１に示すように、ラベル２が商品Ｇに貼り付けられた状態では、情報コード４が視認され、無線タグ３が視認されないようになっている。
【００２１】
無線タグ３は、無線通信にて読み取り可能な情報を記録するための所定の回路パターンを備えており、この回路パターンを利用して他の無線タグと区別するための固有の情報（以下、単にタグ情報ともいう）が記録されるように構成されている。特に、無線タグ３は、商品Ｇからラベル２を剥がした際に当該ラベル２が破れなくても上記回路パターンがラベル２側と商品Ｇ側とに分離して破損等するように形成されている。すなわち、無線タグ３は、ラベル２が商品Ｇから剥がされることでタグ情報が読み取れなくなる開封検知機能を有するように形成される。なお、無線タグ３に記録されるタグ情報は、「第１の情報」の一例に相当し得る。
【００２２】
情報コード４は、公開可能な公開情報が記録される公開領域と、非公開情報が所定の復号鍵にて復号可能に暗号化されて記録される非公開領域とを備える一部非公開コードとして生成されている。この情報コード４の非公開領域には、同じラベル２に設けられる無線タグ３に記録されるタグ情報と同じ情報が非公開情報として光学的に読み取り可能に記録されている。ここで、公開情報としては、例えば、情報コード４が付される商品Ｇを紹介するサイトのアドレスやその商品Ｇを販売する企業のホームページのアドレス等が想定される。なお、情報コード４に記録される非公開情報は、「第２の情報」の一例に相当し得る。
【００２３】
このように構成されるラベル２は、例えば、所定の印刷装置を利用して以下の様に生成される。
まず、ラベル２となるラベル素材が所定の台紙に対して列をなすように複数配置されるロール紙を用意する。各ラベル素材は、表面側にて情報コード４を印刷可能に形成されており、裏面側にはそれぞれタグ情報を記録した無線タグ３が予め設けられている。上記所定の台紙は、ラベル素材を剥がした際に無線タグ３の上記回路パターンが破損しないように専用の素材にて形成されている。また、ロール紙ごとに、無線タグ３に記録されるタグ情報が、最初のラベル素材から最後のラベル素材まで予め決められた所定の順番となっている。
【００２４】
次に、情報コード４の公開領域に記録する公開情報と、非公開領域に記録される非公開情報を復号するための所定の復号鍵とを、ラベル素材の表面に印刷する他の情報等とともに印刷装置に入力する。
【００２５】
この入力に応じて、ロール紙がセットされた印刷装置は、ラベル素材の表面側に順次情報コード４等を印刷するための印刷処理を行う。この印刷処理では、上記所定の順番に応じて、印刷予定のラベル素材に設けられる無線タグ３のタグ情報に一致する非公開情報が入力された復号鍵により復号可能に暗号化されて非公開領域に記録されるとともに入力された公開情報が公開領域に記録されるように情報コード４が生成される。そして、その生成された情報コード４がラベル素材の表面側に順次印刷される。これにより、裏面側に設けられる無線タグ３のタグ情報を非公開領域に記録した情報コード４が表面側に設けられるラベル２が完成する。
【００２６】
なお、情報コード４の印刷後に、裏面側の無線タグ３に記録した情報と表面側の情報コード４の非公開領域に記録した情報とが各ラベルごとに一致するか否かについて確認する照合作業を行ってもよい。また、上記所定の順番を考慮することなく、ラベル素材の裏面側の無線タグ３のタグ情報を順次読み取り、この読み取ったタグ情報に一致する非公開情報が非公開領域に記録されるように情報コード４を生成して、そのラベル素材の表面側に印刷するようにしてもよい。
【００２７】
このように生成されたラベル２は、例えば、ネット販売等を行う販売業者が製造メーカから仕入れた商品Ｇを顧客に配送する際にその商品Ｇに付されることで、販売後に返品された物品の真贋判定に利用することができる。具体的には、例えば、その商品Ｇに付された情報コード４だけを複製して模造品に付しただけでは一致するタグ情報が読み取れないため、模造品が返品されていると判断することができる。
【００２８】
また、未開封状態のみ返品を受け付けるような商品Ｇを前提に、商品Ｇの開封時において剥がされる位置にラベル２を貼り付けることで、商品Ｇの開封後にはラベル２が剥がされて無線タグ３が読み取れなくなるため、開封済の商品が返品されていると判断することができる。具体的には、例えば、図３に例示するように、お酒が入った箱を商品Ｇとするとき、この箱の開け口にラベル２を貼り付けることで、お酒を取り出すために箱を開封した場合にはラベル２が剥がされて無線タグ３が読み取れなくなるため、開封済の商品が返品されていると判断することができる。
【００２９】
次に、無線タグ３及び情報コード４に記録される情報を読み取る携帯端末１０の構成について説明する。
図１に示すように、携帯端末１０は、ＡＢＳ樹脂等の合成樹脂からなる筐体１１によっていわゆるガンタイプとしての外観をなし、筐体１１の上面には、所定の情報を入力する際に操作されるファンクションキーおよびテンキー等のキー操作部２５や、所定の情報を表示するための表示部２４等が配置されている。また、筐体１１の読取側となる端部には、情報コード４等からの反射光を取り込むための読取口１３が設けられている。
【００３０】
図２（Ａ）に示すように、携帯端末１０の筐体１１内には、携帯端末１０全体を制御する制御部２１が設けられている。この制御部２１は、マイコンを主体として構成されるものであり、ＣＰＵ、システムバス、入出力インタフェース等を有し、半導体メモリ装置等として構成される記憶部２２とともに情報処理装置を構成している。記憶部２２には、後述する真贋判定処理等を実行するための所定のプログラム等が制御部２１により実行可能に予め格納されている。
【００３１】
また、制御部２１には、ＬＥＤ２３、表示部２４、キー操作部２５、バイブレータ２６、ブザー２７、外部インタフェース２８などが接続されている。キー操作部２５は、制御部２１に対して操作信号を与える構成をなしており、制御部２１は、この操作信号を受けて操作信号の内容に応じた動作を行う。また、ＬＥＤ２３、表示部２４、バイブレータ２６およびブザー２７は、制御部２１によって制御される構成をなしており、それぞれ、制御部２１からの指令を受けて動作する。
【００３２】
外部インタフェース２８は、サーバ等の外部機器との間でインターネット等を介して無線通信又は有線通信を行うためのインタフェースとして構成されており、制御部２１と協働して通信処理を行う構成をなしている。また、筐体１１内には、電源部２９が設けられており、この電源部２９やバッテリ２９ａによって制御部２１や各種電気部品に電力が供給されるようになっている。
【００３３】
また、制御部２１には、外部の情報を読み取り可能な情報読取部として機能する無線タグ処理部３０及び情報コード読取部４０が接続されている。
まず、無線タグ処理部３０について、図２（Ｂ）を用いて説明する。
無線タグ処理部３０は、アンテナ３４及び制御部２１と協働して無線タグ３との間で電磁波による通信を行ない、無線タグ３に記憶されるデータの読取り、或いは無線タグ３に対するデータの書込みを行なうように機能するものである。この無線タグ処理部３０は、公知の電波方式で伝送を行う回路として構成されており、図２（Ｂ）にて概略的に示すように、送信回路３１、受信回路３２、整合回路３３などを有している。
【００３４】
送信回路３１は、キャリア発振器、符号化部、増幅器、送信部フィルタ、変調部などによって構成されており、キャリア発振器から所定の周波数のキャリア（搬送波）が出力される構成をなしている。また、符号化部は、制御部２１に接続されており、当該制御部２１より出力される送信データを符号化して変調部に出力している。変調部は、キャリア発振器からのキャリア（搬送波）、及び符号化部からの送信データが入力される部分であり、キャリア発振器より出力されるキャリア（搬送波）に対し、通信対象へのコマンド送信時に符号化部より出力される符号化された送信符号（変調信号）によってＡＳＫ（Amplitude Shift Keying）変調された被変調信号を生成し、増幅器に出力している。増幅器は、入力信号（変調部によって変調された被変調信号）を所定のゲインで増幅し、その増幅信号を送信部フィルタに出力しており、送信部フィルタは、増幅器からの増幅信号をフィルタリングした送信信号を、整合回路３３を介してアンテナ３４に出力している。このようにしてアンテナ３４に送信信号が出力されると、その送信信号が送信電波として当該アンテナ３４より外部に放射される。
【００３５】
一方、アンテナ３４によって受信された応答信号は、整合回路３３を介して受信回路３２に入力される。この受信回路３２は、受信部フィルタ、増幅器、復調部、二値化処理部、複号化部などによって構成されており、アンテナ３４を介して受信された応答信号を受信部フィルタによってフィルタリングした後、増幅器によって増幅し、その増幅信号を復調部によって復調する。そして、その復調された信号波形を二値化処理部によって二値化し、復号化部にて復号化した後、その復号化された信号を受信データとして制御部２１に出力している。
【００３６】
次に、情報コード読取部４０について、図２（Ｃ）を用いて説明する。
情報コード読取部４０は、情報コード４を光学的に読み取るように機能するもので、図２（Ｃ）に示すように、ＣＣＤエリアセンサからなる受光センサ４３、結像レンズ４２、複数個のＬＥＤやレンズ等から構成される照明部４１などを備えた構成をなしており、制御部２１と協働して商品Ｇなどに付された情報コード（バーコードや二次元コード）を読み取るように機能する。なお、図２（Ｃ）では、便宜上、ラベル２、無線タグ３及び情報コード４の厚さを強調して図示している。
【００３７】
この情報コード読取部４０によって読み取りを行う場合、まず、制御部２１によって指令を受けた照明部４１から照明光Ｌｆが出射され、この照明光Ｌｆが読取口１３を通って読取対象に照射される。そして、照明光Ｌｆが情報コード４にて反射した反射光Ｌｒは読取口１３を通って装置内に取り込まれ、結像レンズ４２を通って受光センサ４３に受光される。読取口１３と受光センサ４３との間に配される結像レンズ４２は、情報コード４の像を受光センサ４３上に結像させる構成をなしており、受光センサ４３はこの情報コード４の像に応じた受光信号を出力する。受光センサ４３から出力された受光信号は、画像データとして記憶部２２（図２（Ａ））に記憶され、情報コード４に記録される情報を取得するためのデコード処理に用いられるようになっている。なお、情報コード読取部４０には、受光センサ４３からの信号を増幅する増幅回路や、その増幅された信号をデジタル信号に変換するＡＤ変換回路等が設けられているがこれらの回路については図示を省略している。
【００３８】
次に、このように構成される真贋判定システム１において、携帯端末１０にて無線タグ３及び情報コード４の読取結果に応じて真贋判定を行う際に制御部２１にてなされる真贋判定処理について、図４に示すフローチャートを参照して詳述する。以下の説明では、未開封状態のみ返品を受け付ける販売業者等において、販売後に商品Ｇとして返品された物品が正規品か否かについて作業者が調べる作業を例に詳述する。また、携帯端末１０の記憶部２２には、読み取る可能性のある情報コード４の非公開情報を復号するための復号鍵が予め記憶されているものとする。なお、真贋判定処理を行う制御部２１は、「判定部」の一例に相当し得る。
【００３９】
キー操作部２５に対して所定の操作がなされることで、制御部２１にて真贋判定処理が開始されると、まず、図４のステップＳ１０１に示す撮像処理がなされ、情報コード読取部４０により読取口１３を介して情報コード４等を撮像可能な状態になる。そして、ステップＳ１０３に示すデコード処理がなされ、撮像した情報コードを解読するためのデコード処理がなされる。このデコードが失敗した場合には（Ｓ１０５でＮｏ）、上記ステップＳ１０１からの処理が繰り返される。
【００４０】
一方、デコード処理が成功すると（Ｓ１０５でＹｅｓ）、ステップＳ１０７の判定処理にて、デコード成功した情報コードが一部非公開コードであるか否かについて判定される。ここで、撮像した情報コード４のデコードに成功しており、記憶部２２に記憶されている復号鍵を用いて非公開情報が復号（解読）されている場合には、ステップＳ１０７にてＹｅｓと判定される。
【００４１】
続いて、ステップＳ１０９に示す無線タグ読取処理がなされ、無線タグ処理部３０により無線タグ３のタグ情報を無線通信にて読み取るための処理がなされる。この読み取り処理が成功すると（Ｓ１１１でＹｅｓ）、ステップＳ１１３の判定処理にて、ステップＳ１０３にて読み取った非公開情報とステップＳ１０９にて読み取った情報とが一致するか否かについて判定される。
【００４２】
ここで、ステップＳ１０３にて読み取った非公開情報とステップＳ１０９にて読み取った情報とが一致する場合には（Ｓ１１３でＹｅｓ）、正規品に付された同じラベル２に設けられている情報コード４と無線タグ３とを読み取っているとして、情報コード４等を読み取ったラベル２を付した商品が正規品であることが、表示部２４の表示画面に明示されて報知される。
【００４３】
これにより、表示部２４の正規品表示を見た作業者は、情報コード４等を読み取ったラベル２を付した商品が正規品であることを、容易に視認することができる。特に、携帯端末１０の読取口１３をラベル２の情報コード４に向けるだけであり、無線タグ３を意識した操作も不要となるので、作業者の真贋判定時の作業を容易に行うことができる。
【００４４】
一方、デコード成功した情報コードが一部非公開コードでない場合、例えば、模造品に付された通常のＱＲコード（登録商標）読み取っている場合には、ステップＳ１０７の判定処理にてＮｏと判定されて、商品Ｇに付された真贋判定対象用のラベルでないことが、表示部２４の表示画面に表示されて警告される。また、無線タグ３のタグ情報の読み取りに失敗した場合、例えば、商品Ｇを開封したために無線タグ３が破損等している場合にも（Ｓ１１１でＮｏ）、商品Ｇに付された真贋判定対象用のラベルでないことが、表示部２４の表示画面に表示されて警告される。また、ステップＳ１０３にて読み取った非公開情報とステップＳ１０９にて読み取った情報とが一致しない場合にも（Ｓ１１３でＮｏ）、商品Ｇに付された真贋判定対象用のラベルでないことが、表示部２４の表示画面に表示されて警告される。
【００４５】
これにより、表示部２４の警告表示を見た作業者は、情報コード等を読み取ったラベルを付した商品が正規品でないことを、容易に視認することができる。
【００４６】
以上説明したように、本実施形態に係る真贋判定システム１及び携帯端末１０では、商品Ｇに付されたラベル２には、タグ情報（第１の情報）が記録される無線タグ３とタグ情報に一致する非公開情報（第２の情報）が記録される情報コード４とが設けられている。そして、携帯端末１０の制御部２１による真贋判定処理では、同じラベル２に付された無線タグ３から無線タグ処理部３０にて読み取った読取結果と情報コード４から情報コード読取部４０にて読み取った読取結果とに基づいて、当該ラベル２が付された商品Ｇが正規品か否かについて判定される。
【００４７】
これにより、非公開情報が記録される情報コード４を不正に複製して模造品に付したとしても、この非公開情報に一致するタグ情報が記録される無線タグ３までもがその模造品に付されない限り、当該模造品が正規品と判定されることもない。したがって、同じラベル２に設けた無線タグ３と情報コード４との読取結果を利用して真贋判定を行うことで当該ラベル２が付された商品Ｇの真贋判定精度を高めることができる。特に、携帯端末１０にて情報コード４を読み取る際に同じラベル２に設けられる無線タグ３を読み取る真贋判定処理を行うことで、真贋判定のための操作を容易に行うことができる。
【００４８】
また、情報コード４は、公開可能な公開情報が記録される公開領域と、非公開情報が所定の復号鍵にて復号可能に暗号化されて記録される非公開領域とを備える一部非公開コードとして生成される。そして、携帯端末１０は、所定の復号鍵が予め記憶される記憶部２２を備えている。
【００４９】
これにより、所定の復号鍵を取得していない一般の読取装置では、ラベル２に設けられた情報コード４から公開可能な公開情報が読み取られるので、その情報コード４にさらに非公開情報が記録されていることが知得され難くなる。このため、非公開情報の秘匿性が向上するので、情報コード４の偽造が困難になる結果、真贋判定精度をより一層高めることができる。
【００５０】
特に、ラベル２は、商品Ｇに貼り付けられるようにシート状に形成され、無線タグ３は、ラベル２が商品Ｇから剥がされることでタグ情報が読み取れなくなる開封検知機能を有するように形成される。
【００５１】
これにより、図３に例示するように、未開封状態のみ返品を受け付けるような商品Ｇに対して開封時に剥がれるような位置にラベル２を貼り付けることで、開封後に不正に返品しようとしてもタグ情報が読み取れなくなるので、真贋判定結果として不正な開封を検知することができる。
【００５２】
また、情報コード４には、同じラベル２に付された無線タグ３に記録されるタグ情報と同じ情報が非公開情報として記録される。そして、制御部２１による真贋判定処理では、同じラベル２に付された無線タグ３から無線タグ処理部３０にて読み取った読取結果と情報コード４から情報コード読取部４０にて読み取った読取結果とが一致する場合に、当該ラベル２が付された商品Ｇが正規品であると判定される。
【００５３】
これにより、携帯端末１０では、無線タグ３から読み取った情報と情報コード４から読み取った情報とで真贋判定できるので、真贋判定用のデータベースや外部サーバへの問い合わせ等も不要となり、携帯端末１０単体で正確に真贋判定することができる。
【００５４】
なお、本発明は上記実施形態に限定されるものではなく、例えば、以下のように具体化してもよい。
（１）情報コード４に記録される非公開情報は、同じラベル２に設けられる無線タグ３のタグ情報（第１の情報）に一致する情報に限らず、タグ情報に関連付けられる情報であってもよい。この場合には、非公開情報とタグ情報とが関連付けられるデータベースを参照することで、そのラベル２が付された物品が正規品か否かについて判定することができる。なお、上記データベースは、携帯端末１０の記憶部２２に予め構築してもよいし、真贋判定処理に通信可能なサーバ等の外部機器に構築されてもよい。
【００５５】
（２）情報コード４は、一部非公開コードとして生成されることに限らず、公開情報が記録されずに単に非公開情報（第２の情報）が暗号化された情報コードとして生成されてもよい。また、情報コード４は、暗号化されることなく、タグ情報に一致する情報又はタグ情報に関連付けられる情報が記録されるように生成されてもよい。この場合には、上記真贋判定処理においてステップＳ１０７の判定処理を省略することができる。
【００５６】
（３）無線タグ３は、開封検知機能を有しないように構成されてもよい。また、無線タグ３には、固有の情報であるタグ情報のみが記録されることに限らず、例えば、無線タグ３が付される予定の物品に関する情報等が記録されてもよい。
【００５７】
（４）無線タグ３及び情報コード４が設けられる記録媒体は、上述したようなラベル２に限らず、無線タグ３及び情報コード４の双方を設けることが可能であって真贋判定対象の物品に付すことができる媒体であればよい。また、ラベル２（無線タグ３及び情報コード４が設けられる記録媒体）が付される物品は、模造品対策が必要な高価なお酒などの商品に限ることなく、例えば、ブランド品やメーカ純正品、医療機材やパチンコＲＯＭ等であってもよい。このような物品であっても、返品時に正規品か否かについて容易に真贋判定することができる。
【００５８】
（５）本発明に係る真贋判定装置は、携帯端末１０のように携帯型として構成されることに限らず、据え置き型として構成されてもよい。
【符号の説明】
【００５９】
１…真贋判定システム
２…ラベル（記録媒体）
３…無線タグ
４…情報コード
１０…携帯端末（真贋判定装置）
２１…制御部（判定部）
２２…記憶部
３０…無線タグ処理部
４０…情報コード読取部
Ｇ…商品（物品）
【図１】
2020035324.tif 000003
【図２】
2020035324.tif 000004
【図３】
2020035324.tif 000005
【図４】
2020035324.tif 000006